(57)【要約】  室外機（１）は、筐体（１０）を備えている。筐体（１０）の内部には、送風機（１２）、および、送風機（１２）からの風を吹き出し口へと導く送風路などが設けられている。筐体（１０）の前面の吹き出し口には、ファンガード（ガード部材）（１１）が取り付けられている。ファンガード（１１）の周囲には突起部（３１）が設けられている。突起部（３１）は、送風路の仮想延長線（Ａ）の外側に位置するような形状となっている。
2019106854.tif 000002
【特許請求の範囲】
【請求項１】
筐体と、
前記筐体内に配置された送風機と、
前記筐体内に形成され、前記送風機からの風を吹き出し口へ導く送風路と、
前記吹き出し口に取り付けられたガード部材と、
前記ガード部材の周囲に設けられた突起部と
を備え、
前記突起部は、前記送風路の仮想延長線の外側に位置するような形状となっている、室外機。
【請求項２】
前記突起部の内側の高さは、
前記突起部の外側の高さよりも低くなっている、
請求項１に記載の室外機。
【請求項３】
前記突起部は、中空状になっている、請求項１または２に記載の室外機。
【請求項４】
前記突起部の内側の形状の一部は、前記送風路の仮想延長線上にある、請求項１から３の何れか１項に記載の室外機。
【請求項５】
前記突起部は、湾曲した先端部を有しており、
前記湾曲した先端部の曲率は、前記突起部の内側から外側へ向かって徐々に小さくなっている、
請求項１から４の何れか１項に記載の室外機。
【請求項６】
前記送風路の側面は湾曲形状を有しており、
前記突起部は、前記吹き出し口における前記送風路の側面の接線よりも外側に位置するような形状となっている、
請求項１から５の何れか１項に記載の室外機。
【発明の詳細な説明】
【技術分野】
【０００１】
本開示は、空気調和機、ヒートポンプ式給湯機などの室外機に関する。
【背景技術】
【０００２】
空気調和機の室外機は、筐体内に、熱交換器、送風機などを収納し、熱交換器に外気を供給して、冷凍サイクル内の冷媒との熱交換を行っている。一般に、送風機は、熱交換器の前面側に配置されている。そして、送風機の回転によって、室外機の筐体内には、背面側から熱交換器を通過し、前面側へと送出される空気の流れ（すなわち、風）が形成される。【０００３】
室外機の筐体の前面側には、送風機からの風の吹き出し口が設けられている。この吹き出し口の内径は、送風機からの風の流れに沿って徐々に大きくなるような形状となっている。この構造により、吹出し口から外部へ吹き出される風を拡散させることができる。例えば、特許文献１に開示された空気調和機用室外ユニットは、ケース１内にファン７（送風機）を囲む配置でベルマウス２１が設けられている。【０００４】
また、室外機の筐体の吹き出し口には、吹出グリルが取り付けられている。例えば、特許文献１に開示された空気調和機用室外ユニットのケース吹出口１０には、格子状の桟１７，１８を有する吹出グリル１５が取り付けられている。吹出グリルは、送風機との接触を防止するための機能も果たしているため、ファンガードとも呼ばれる。
【先行技術文献】
【特許文献】
【０００５】
【特許文献１】特開平６−１３７６０８号公報
【発明の概要】
【発明が解決しようとする課題】
【０００６】
ところで、室外機のデザイン性を高めるために、筐体の前面側のファンガードの周囲に突起を設ける構造が検討されている。しかしながら、ファンガードの周囲に突起を設けると、吹出し口から外部へ拡散するように吹き出される風の流れが妨げられ、送風効率が低下してしまう可能性がある。【０００７】
そこで、本発明の一局面では、デザイン性を高めつつ、送風効率の低下を抑えることのできる室外機の構造を提供することを目的とする。
【課題を解決するための手段】
【０００８】
本発明の一局面にかかる室外機は、筐体と、前記筐体内に配置された送風機と、前記筐体内に形成され、前記送風機からの風を吹き出し口へ導く送風路と、前記吹き出し口に取り付けられたガード部材と、前記ガード部材の周囲に設けられた突起部とを備えている。そして、前記突起部は、前記送風路の仮想延長線の外側に位置するような形状となっている。
【発明の効果】
【０００９】
本発明の一局面にかかる室外機によれば、ガード部材の周囲に突起部を設けることでデザイン性を高めることができる。また、突起部を、送風路の仮想延長線の外側に位置するような形状とすることで、送風効率の低下を抑えることができる。
【図面の簡単な説明】
【００１０】
【図１】本発明の一実施形態にかかる空気調和機の室外機の外観を示す斜視図である。
【図２】図１に示す室外機の内部構成を示す縦断面図である。
【図３】第１の実施形態にかかる空気調和機の室外機のファンガードの取り付け位置を拡大して示す断面模式図である。
【図４】第２の実施形態にかかる空気調和機の室外機のファンガードの取り付け位置を拡大して示す断面模式図である。
【図５】第３の実施形態にかかる空気調和機の室外機のファンガードの取り付け位置を拡大して示す断面模式図である。
【図６】第４の実施形態にかかる空気調和機の室外機のファンガードの取り付け位置を拡大して示す断面模式図である。
【図７】第５の実施形態にかかる空気調和機の室外機のファンガードの取り付け位置を拡大して示す断面模式図である。
【発明を実施するための形態】
【００１１】
以下、図面を参照しつつ、本発明の実施の形態について説明する。以下の説明では、同一の構成部材には同一の符号を付してある。それらの名称および機能も同じである。したがって、それらについての詳細な説明は繰り返さない。
【００１２】
〔第１の実施形態〕
＜空気調和機の全体構成＞
本実施形態では、本発明の一例にかかる室外機を備えている空気調和機を例に挙げて説明する。先ず、本実施の形態にかかる空気調和機の全体構成について説明する。本実施の形態にかかる空気調和機は、セパレート式の空気調和機であって、主として、室内機（図示せず）と室外機１（図１参照）とから構成されている。なお、本実施形態にかかる空気調和機は、暖房運転および冷房運転の両方を行うことができるが、本発明の別の態様にかかる空気調和機は、暖房運転および冷房運転の何れか一方のみを行うものであってもよい。
【００１３】
室内機は、略直方体状の形状を有しており、通常、部屋の壁の上部に掛けられて使用される。室内機内には室内側熱交換器（図示せず）が備えられている。室外機１には、圧縮機（図示せず）、室外側熱交換器１３（図２参照）、四方弁（図示せず）、膨張弁（図示せず）などが備えられている。これらと室内機側に備えられた室内側熱交換器とによって冷凍サイクルが構成される。
【００１４】
冷凍サイクルにおいて、圧縮機は、冷媒（熱媒体）を圧縮する。膨張弁は、冷媒（熱媒体）を減圧する。室外側熱交換器１３は、暖房運転時には蒸発器として機能するとともに、冷房運転時には凝縮器として機能する。室内側熱交換器は、暖房運転時には凝縮器として機能し、冷房運転時には蒸発器として機能する。
【００１５】
＜室外機の構成＞
続いて、室外機１の具体的な構成について、図１および図２を参照しながら説明する。図１には、室外機１の外観構成を示す。図２には、室外機１の内部の構成を示す。図２は、筐体１０内の送風機１２の設置領域の前後方向の構成を示す断面模式図である。
【００１６】
図１に示すように、室外機１は、略直方体状の形状を有しており、通常、屋外の平坦面上に設置される。室外機１の外形は、主として、筐体１０によって形成される。筐体１０は、主として、前面パネル１０ａ、上面パネル１０ｂ、２つの側面パネル（すなわち、左側面パネル１０ｃおよび右側面パネル１０ｄ）、および底板１７（図２参照）で構成されている。なお、筐体１０の背面部１０ｅは、主に、左側面パネル１０ｃの一部と、右側面パネル１０ｄの一部とで構成される。図２に示すように、背面部１０ｅには、開口部１５が形成されており、この開口部１５から室外側熱交換器１３が部分的に露出した状態になっている。また、本実施形態では、左側面パネル１０ｃにも開口部１５が形成されており、開口部１５から室外側熱交換器１３が部分的に露出している（図１参照）。
【００１７】
前面パネル１０ａには、送風機１２からの風の吹き出し口にファンガード（ガード部材）１１が取り付けられている。ファンガード１１は、正面視において送風機１２の配置位置と重なるように配置されている。図１に示すように、ファンガード１１は、略円形状を有し、中心から同心円状および放射状に延びる格子が形成されている。このような格子が形成されていることで、送風機１２からの風を吹き出すことができるとともに、外部から送風機１２に接触できないようにすることができる。
【００１８】
ファンガード１１の周囲には、突起部３１が設けられている。図２に示すように、突起部３１は、前面パネル１０ａから突出するように形成されている。筐体１０の底面部を構成する底板１７の下面には、室外機１を支持する脚部１９が２つ配置されている。
【００１９】
本明細書では、説明の便宜上、前面パネル１０ａが配置されている側を室外機１の前面側または前方側とし、室外側熱交換器１３が配置されている側を室外機１の背面側または後方側とする。そして、室外機１の前面側（前方側）から背面側（後方側）、または背面側から前面側へ向かう方向のことを、前後方向という。また、室外機１の通常の設置状態において、上方から下方または下方から上方へ向かう方向のことを、上下方向または鉛直方向という。
【００２０】
また、室外機１の右側とは、室外機１を正面（前面側）から見たときの右側を意味し、室外機１の左側とは、室外機１を正面から見たときの左側を意味する。そして、室外機１の上下方向と交差または直交し、室外機１の右側から左側、あるいは、室外機１の左側から右側へ向かう方向のことを、左右方向または水平方向という。
【００２１】
筐体１０の内部には、送風機１２、室外側熱交換器１３、送風機１２の駆動モータ１６、圧縮機（図示せず）、送風路形成部材２１などが収納されている。
【００２２】
室外側熱交換器１３は、筐体１０内の背面部１０ｅおよび左側面パネル１０ｃに沿って配置されている。室外側熱交換器１３の内部では、伝熱管（冷媒配管）１４が複数回折り返されながら蛇行して延びている。伝熱管（冷媒配管）１４には、多数の放熱フィン（図示せず）が取り付けられている。
【００２３】
送風機１２は、室外側熱交換器１３の前面側の空間２２内に配置されている。送風機１２の回転によって、背面部１０ｅおよび左側面パネル１０ｃに形成された開口部１５から室外側熱交換器１３を通過し、前面パネル１０ａのファンガード１１から外部へ送出される空気の流れ（すなわち、風）が形成される。背面部１０ｅから筐体１０内へ流入した外気は、室外側熱交換器１３のフィン間を通過する。このとき、室外側熱交換器１３の伝熱管１４内を流れる冷媒と外気とが熱交換される。そして、熱交換された外気は、ファンガード１１から筐体１０の外に排出される。
【００２４】
駆動モータ１６は、送風機１２の回転を駆動する。駆動モータ１６は、送風機１２の回転軸１２ａと接続されている。圧縮機は、送風機１２と左右方向に並んで筐体１０内に配置されている。
【００２５】
送風路形成部材２１は、送風機１２が設置されている空間２２の前面側に設けられている。送風路形成部材２１は、送風機１２の前面部分の外周を取り囲むように形成されている。これにより、送風機１２からの風を筐体１０の吹き出し口（具体的には、ファンガード１１）へと導く送風路が構成される。例えば、送風路形成部材２１は、空間２２の前面部分に円錐台形状の送風路を形成することができる。この構成により、筺体１０の前面側吹き出し口から効率良く風を送り出すことができる。
【００２６】
送風路形成部材２１は、例えば、前面パネル１０ａの一部を折り曲げて形成することができる。あるいは、送風路形成部材２１は、前面パネル１０ａに形成された吹き出し口の裏面側に取り付けられてもよい。
【００２７】
前面パネル１０ａに設けられた突起部３１は、中空状になっている（図２参照）。
【００２８】
＜送風路および突起部の構成＞
続いて、送風機１２によって生成された風を吹き出し口へと導く送風路、および前面パネル１０ａに設置された突起部３１のより具体的な構成について、図３などを参照しながら説明する。図３は、室外機１の前面の一部分を拡大して示す断面模式図である。図３では、ファンガード１１の周辺（すなわち、送風路、および突起部３１などが設けられている部分）のより具体的な構造を示している。
【００２９】
図３に示すように、送風路を形成している送風路形成部材２１は、平面部２１ａと湾曲部２１ｂとを有している。
【００３０】
平面部２１ａは、前面パネル１０ａにより近い側に位置しており、吹き出し口を構成する。平面部２１ａは、吹き出し口に向かって送風路の内径を拡大させる方向に傾斜している。
【００３１】
湾曲部２１ｂは、平面部２１ａの後方側に位置する。湾曲部２１ｂは、送風機１２の外周を囲むような形状を有している。図２に示すように、湾曲部２１ｂは、空間２２の後方へ向かって送風路の内径を拡大させる方向に湾曲している。
【００３２】
ファンガード１１は、前面パネル１０ａの吹き出し口を覆うように取り付けられている。具体的には、ファンガード１１は、前面パネル１０ａにおける送風路形成部材２１の平面部２１ａとの境界の近傍に取り付けられている。図２に示すように、ファンガード１１は、側面視において、前面パネル１０ａの表面から前方側へ突出している。
【００３３】
突起部３１は、前面パネル１０ａの表面に取り付けられている。突起部３１は、ファンガード１１の端部と隣接して配置されている。本実施形態では、突起部３１は、略円形状のファンガード１１の形状に合わせて、略円形のリング状になっている（図１参照）。ファンガード１１と同様に、突起部３１は、側面視において、前面パネル１０ａの表面から前方側へ突出している。
【００３４】
突起部３１は、主として、内周部（突起部の内側）３１ａ、外周部（突起部の外側）３１ｂ、および頂部３１ｃで構成されている。内周部３１ａおよび外周部３１ｂは、前面パネル１０ａの表面に対して略垂直に立設している。内周部３１ａは、ファンガード１１により近い側に位置し、外周部３１ｂはファンガード１１からより遠い側に位置する。内周部３１ａおよび外周部３１ｂは、互いにほぼ一定の間隔で前面パネル１０ａに対して立設している。すなわち、内周部３１ａと外周部３１ｂとは、互いに略平行に配置されている。
【００３５】
頂部３１ｃは、内周部３１ａの頂端部と、外周部３１ｂの頂端部とを連結するように配置されている。頂部３１ｃは、湾曲した外形を有している。
【００３６】
以上のように、突起部３１は、内周部３１ａ、外周部３１ｂ、および頂部３１ｃという３つの部分を有している。そして、突起部３１は、内部に空間Ｓを有している。すなわち、突起部３１は、中空状になっている。これにより、突起部３１を軽量化することができる。
【００３７】
本実施形態では、突起部３１の内側に位置する内周部３１ａの前面パネル１０ａの表面からの高さＨ１は、突起部３１の外側に位置する外周部３１ｂの前面パネル１０ａの表面からの高さＨ２よりも低くなっている。ここで、突起部３１の内側とは、ファンガード１１により近い側に位置する部分を意味し、突起部３１の外側とは、ファンガード１１により遠い側に位置する部分を意味する。
【００３８】
なお、図３には、送風路の仮想延長線（より具体的には、平面部２１ａの筐体１０の外部方向への仮想延長線）Ａを一点鎖線で示す。図３に示すように、本実施形態の室外機１では、突起部３１の構造全体が、送風路の仮想延長線Ａの外側（図３では、上方側）に位置するような形状となっている。
【００３９】
この構成により、突起部３１は、送風路形成部材２１の平面部２１ａの形状に沿って拡張されるように吹き出される風の流路の外側に位置することになる。そのため、突起部３１がファンガード１１から吹き出される風の流れを妨げることを抑えることができる。したがって、送風効率の低下を抑えることができる。図３には、平面部２１ａの形状に沿って吹き出される風の流れを破線の矢印で示す。
【００４０】
また、本実施形態では、内周部３１ａと頂部３１ｃとの境界部分が、送風路の仮想延長線Ａと接するような位置関係で、突起部３１が配置されている（図３参照）。
【００４１】
なお、本実施形態の室外機１では、ファンガード１１の左側の端部は、左側面パネル１０ｃに形成された開口部１５と比較的近距離に位置する（図１参照）。このような構成において、ファンガード１１の周囲に突起部３１が設けられていると、ファンガード１１から吹き出された風が、前面パネル１０ａの後方側へ回り込むことを回避させることができる。つまり、突起部３１が障壁となって、ファンガード１１から吹き出された（熱交換後の）風が、左側面パネル１０ｃ側へ回り込み、開口部１５から筐体１０内へ流入することを抑制することができる。したがって、室外側熱交換器１３における熱交換効率の低下を抑えることができる。
【００４２】
＜第１の実施形態のまとめ＞
以上のように、本実施形態にかかる室外機１は、筐体１０と、筐体１０内に配置された送風機１２と、筐体１０内に形成され、送風機１２からの風を吹き出し口へ導く送風路と、吹き出し口に取り付けられたファンガード１１とを備えている。また、ファンガード１１の周囲には、突起部３１が設けられている。この突起部３１は、送風路の仮想延長線Ａの外側に位置するような形状となっている。
【００４３】
上記の構成によれば、突起部３１は、送風路の側面形状に沿って拡張されるように吹き出される風の流路の外側に位置することになる。そのため、突起部３１がファンガード１１から吹き出される風の流れを妨げることを抑えることができる。したがって、送風効率の低下を抑えることができる。
【００４４】
また、突起部３１を、前面パネル１０ａとは異なる色の素材で形成することもできる。これにより、突起部３１を目立たせることができる。例えば、前面パネル１０ａが白色の素材で形成されている場合には、突起部３１を、黒色、赤色、青色などの素材で形成してもよい。これにより、ファンガード１１の周囲が強調され、室外機１のデザイン性を向上させることができる。
【００４５】
またあるいは、突起部３１を蛍光色の素材で構成することもできる。これにより、夜間などにファンガード１１の位置を視認しやすくすることができる。そのため、夜間などに、人が誤ってファンガード１１に触れることを抑えることができる。
【００４６】
なお、上述の第１の実施形態では、ファンガード１１の形状は略円形となっている。そして、突起部３１は、ファンガード１１の形状に合わせて略円形のリング状となっている。但し、ファンガード１１および突起部３１の形状は、円形に限定はされない。本発明の別の態様では、ファンガード１１の形状を矩形とすることもできる。この場合には、突起部３１は、ファンガード１１の形状に合わせて矩形のリング状とすることができる。
【００４７】
〔第２の実施形態〕
続いて、本発明の第２の実施形態について説明する。第２の実施形態では、ファンガード１１の周囲に配置された突起部１３１の構造が、第１の実施形態とは異なっている。それ以外の構成については、第１の実施形態と同様の構成を適用することができる。そこで、以下では、主に突起部１３１の構造について説明する。
【００４８】
図４には、第２の実施形態にかかる室外機１０１の前面の一部分の構成を示す。図４は、ファンガード１１の周辺のより具体的な構造を示す図であって、第１の実施形態で説明した図３に対応する図である。第２の実施形態にかかる室外機１０１の全体的な構成については、図１および図２に示す室外機１と同様の構成を適用することができる。
【００４９】
図４に示すように、送風路を形成している送風路形成部材２１は、平面部２１ａと湾曲部２１ｂとを有している。送風路形成部材２１は、第１の実施形態と同様の構成が適用できる。
【００５０】
ファンガード１１は、前面パネル１０ａの吹き出し口を覆うように取り付けられている。ファンガード１１は、第１の実施形態と同様の構成が適用できる。
【００５１】
突起部１３１は、前面パネル１０ａの表面に取り付けられている。突起部１３１は、ファンガード１１の端部と隣接して配置されている。第１の実施形態と同様に、突起部１３１は、略円形状のファンガード１１の形状に合わせて、略円形のリング状になっている（図１参照）。
【００５２】
突起部１３１は、主として、内周部（突起部の内側）１３１ａ、外周部（突起部の外側）１３１ｂ、頂部１３１ｃ、および内側傾斜部１３１ｄで構成されている。
【００５３】
内周部１３１ａおよび外周部１３１ｂは、前面パネル１０ａの表面に対して略垂直に立設している。内周部１３１ａおよび外周部１３１ｂは、互いにほぼ一定の間隔で前面パネル１０ａに対して立設している。すなわち、内周部１３１ａと外周部１３１ｂとは、互いに略平行に配置されている。
【００５４】
なお、突起部１３１の内側に位置する内周部１３１ａの前面パネル１０ａの表面からの高さは、突起部１３１の外側に位置する外周部１３１ｂの前面パネル１０ａの表面からの高さよりも低くなっている。
【００５５】
頂部１３１ｃは、前面パネル１０ａから最も遠い側に位置する。頂部１３１ｃは、内側傾斜部１３１ｄの頂端部と、外周部１３１ｂの頂端部とを連結するように配置されている。本実施形態では、頂部１３１ｃは、前面パネル１０ａの表面と略平行に位置し、内側傾斜部１３１ｄから外周部１３１ｂにかけて略平坦な断面形状を有している。
【００５６】
内側傾斜部１３１ｄは、内周部１３１ａと頂部１３１ｃとの間に位置する。内側傾斜部１３１ｄは、内周部１３１ａに対して傾斜した略平坦な断面を有している。
【００５７】
以上のように、突起部１３１は、内周部１３１ａ、外周部１３１ｂ、頂部１３１ｃ、および内側傾斜部１３１ｄという４つの部分を有している。そして、突起部１３１は、内部に空間Ｓを有している。すなわち、突起部１３１は、中空状になっている。これにより、突起部１３１を軽量化することができる。
【００５８】
図４には、送風路の仮想延長線Ａを一点鎖線で示す。図４に示すように、本実施形態の室外機１０１では、突起部１３１の構造全体が、送風路の仮想延長線Ａの外側（図４では、上方側）に位置するような形状となっている。
【００５９】
この構成により、突起部１３１は、送風路形成部材２１の平面部２１ａの形状に沿って拡張されるように吹き出される風の流路の外側に位置することになる。そのため、突起部１３１がファンガード１１から吹き出される風の流れを妨げることを抑えることができる。したがって、送風効率の低下を抑えることができる。
【００６０】
また、本実施形態では、内側傾斜部１３１ｄが、送風路の仮想延長線Ａ上に位置するように突起部１３１の形状および配置位置が規定されている（図４参照）。この構成により、筐体１０の吹き出し口から平面部２１ａの形状に沿って吹き出される風を整流させることができる。
【００６１】
なお、突起部１３１の形状の一部（すなわち、内側傾斜部１３１ｄ）が、送風路の仮想延長線Ａに沿って配置されていることで、送風路を吹き出し口から延長させることができる。したがって、この構成により、より高い整流効果を得ることができる。
【００６２】
〔第３の実施形態〕
続いて、本発明の第３の実施形態について説明する。第３の実施形態では、ファンガード１１の周囲に配置された突起部２３１の構造が、第１の実施形態とは異なっている。それ以外の構成については、第１の実施形態と同様の構成を適用することができる。そこで、以下では、主に突起部２３１の構造について説明する。
【００６３】
図５には、第３の実施形態にかかる室外機２０１の前面の一部分の構成を示す。図５は、ファンガード１１の周辺のより具体的な構造を示す図であって、第１の実施形態で説明した図３に対応する図である。第３の実施形態にかかる室外機２０１の全体的な構成については、図１および図２に示す室外機１と同様の構成を適用することができる。
【００６４】
図５に示すように、送風路を形成している送風路形成部材２１は、平面部２１ａと湾曲部２１ｂとを有している。送風路形成部材２１は、第１の実施形態と同様の構成が適用できる。
【００６５】
ファンガード１１は、前面パネル１０ａの吹き出し口を覆うように取り付けられている。ファンガード１１は、第１の実施形態と同様の構成が適用できる。
【００６６】
突起部２３１は、前面パネル１０ａの表面に取り付けられている。突起部２３１は、ファンガード１１の端部と隣接して配置されている。第１の実施形態と同様に、突起部２３１は、略円形状のファンガード１１の形状に合わせて、略円形のリング状になっている（図１参照）。
【００６７】
突起部２３１は、主として、内側湾曲部（突起部の内側）２３１ａ、および外周部（突起部の外側）２３１ｂで構成されている。
【００６８】
内側湾曲部２３１ａは、前面パネル１０ａの表面に対して立設している。また、内側湾曲部２３１ａは、前面パネル１０ａから離れるにしたがって送風路の外側へ向けて湾曲した形状を有している。そして、内側湾曲部２３１ａの頂端部は、外周部２３１ｂの頂端部と連結している。
【００６９】
外周部２３１ｂは、前面パネル１０ａの表面に対して略垂直に立設している。外周部２３１ｂは、略平坦な断面形状を有している。
【００７０】
以上のように、突起部２３１は、内側湾曲部２３１ａ、および外周部２３１ｂという２つの部分を有している。そして、突起部２３１は、内部に空間Ｓを有している。すなわち、突起部２３１は、中空状になっている。これにより、突起部２３１を軽量化することができる。
【００７１】
図５には、送風路の仮想延長線Ａを一点鎖線で示す。図５に示すように、本実施形態の室外機２０１では、突起部２３１の構造全体が、送風路の仮想延長線Ａの外側（図５では、上方側）に位置するような形状となっている。
【００７２】
この構成により、突起部２３１は、送風路形成部材２１の平面部２１ａの形状に沿って拡張されるように吹き出される風の流路の外側に位置することになる。そのため、突起部２３１がファンガード１１から吹き出される風の流れを妨げることを抑えることができる。したがって、送風効率の低下を抑えることができる。
【００７３】
また、本実施形態では、内側湾曲部２３１ａの一部が、送風路の仮想延長線Ａと接するような位置関係で、突起部２３１が配置されている（図５参照）。
【００７４】
また、本実施形態では、内側湾曲部２３１ａの先端部が、外周部２３１ｂの先端部へ向かって湾曲した形状を有している。そして、湾曲した先端部の曲率は、突起部２３１の内側から外側へ向かって徐々に小さくなっている。すなわち、内側湾曲部２３１ａのより内側の曲率Ｒ１は、内側湾曲部２３１ａのより外側の曲率Ｒ２よりも大きくなっている。
【００７５】
この構成により、ファンガード１１から吹き出された風が、前面パネル１０ａの後方側へ回り込むことを回避させることができる。つまり、突起部２３１が障壁となって、ファンガード１１から吹き出された（熱交換後の）風が、左側面パネル１０ｃ側へ回り込み、開口部１５から筐体１０内へ流入することを抑制することができる。したがって、室外側熱交換器１３における熱交換効率の低下を抑えることができる。
【００７６】
〔第４の実施形態〕
続いて、本発明の第４の実施形態について説明する。第４の実施形態では、ファンガード１１の周囲に配置された突起部３３１の構造が、第１の実施形態とは異なっている。それ以外の構成については、第１の実施形態と同様の構成を適用することができる。そこで、以下では、主に突起部３３１の構造について説明する。
【００７７】
図６には、第４の実施形態にかかる室外機３０１の前面の一部分の構成を示す。図６は、ファンガード１１の周辺のより具体的な構造を示す図であって、第１の実施形態で説明した図３に対応する図である。第４の実施形態にかかる室外機３０１の全体的な構成については、図１および図２に示す室外機１と同様の構成を適用することができる。
【００７８】
図６に示すように、送風路を形成している送風路形成部材２１は、平面部２１ａと湾曲部２１ｂとを有している。送風路形成部材２１は、第１の実施形態と同様の構成が適用できる。
【００７９】
ファンガード１１は、前面パネル１０ａの吹き出し口を覆うように取り付けられている。ファンガード１１は、第１の実施形態と同様の構成が適用できる。
【００８０】
突起部３３１は、前面パネル１０ａの表面に取り付けられている。突起部３３１は、ファンガード１１の端部と隣接して配置されている。第１の実施形態と同様に、突起部３３１は、略円形状のファンガード１１の形状に合わせて、略円形のリング状になっている（図１参照）。
【００８１】
突起部３３１は、略「Ｕ」字形状の断面構造を有している。すなわち、突起部３３１の頂端部は、湾曲した形状になっている。この構造により、ファンガード１１から吹き出される風を緩やかに外側へ誘導させることができる。また、突起部３３１の頂端部が湾曲していることで、ファンガード１１から吹き出される風の損失を低減させることができる。
【００８２】
突起部３３１は、内部に空間Ｓを有している。すなわち、突起部３３１は、中空状になっている。
【００８３】
そして、本実施形態では、突起部３１の構造全体が、送風路の仮想延長線Ａの外側（図６では、上方側）に位置するように、突起部３３１の前面パネル１０ａの表面からの高さＨが設定されている。この構成により、突起部３３１は、送風路形成部材２１の平面部２１ａの形状に沿って拡張されるように吹き出される風の流路の外側に位置することになる。そのため、突起部３３１がファンガード１１から吹き出される風の流れを妨げることを抑えることができる。したがって、送風効率の低下を抑えることができる。
【００８４】
〔第５の実施形態〕
続いて、本発明の第５の実施形態について説明する。第５の実施形態では、送風路の構造が第１の実施形態とは異なっている。それ以外の構成については、第１の実施形態と概ね同様の構成を適用することができる。そこで、以下では、送風路の構造を中心に説明する。
【００８５】
図７には、第５の実施形態にかかる室外機４０１の前面の一部分の構成を示す。図７は、ファンガード１１の周辺のより具体的な構造を示す図であって、第１の実施形態で説明した図３に対応する図である。第５の実施形態にかかる室外機４０１の全体的な構成については、図１および図２に示す室外機１と概ね同様の構成を適用することができる。
【００８６】
本実施形態では、送風路形成部材４２１によって送風路が形成されている。第１の実施形態と同様に、送風路形成部材４２１は、送風機１２が設置されている空間２２の前面側に設けられている。
【００８７】
第１の実施形態では、送風路形成部材２１は、平面部２１ａと湾曲部２１ｂとで構成されている。これに対して、本実施形態では、送風路形成部材４２１の全体構造は、湾曲部４２１ａによって形成されている。例えば、送風路形成部材４２１は、空間２２の前面部分にベルマウス形状の送風路を形成することができる。この構成により、筺体１０の前面側吹き出し口から効率良く風を送り出すことができる。
【００８８】
ファンガード１１は、前面パネル１０ａの吹き出し口を覆うように取り付けられている。ファンガード１１は、第１の実施形態と同様の構成が適用できる。
【００８９】
突起部４３１は、前面パネル１０ａの表面に取り付けられている。突起部４３１は、ファンガード１１の端部と隣接して配置されている。第１の実施形態と同様に、突起部４３１は、略円形状のファンガード１１の形状に合わせて、略円形のリング状になっている（図１参照）。
【００９０】
突起部４３１は、主として、内周部（突起部の内側）４３１ａ、外周部（突起部の外側）４３１ｂ、および頂部４３１ｃで構成されている。内周部４３１ａは、第１の実施形態の突起部３１の内周部３１ａと略同様の構成が適用できる。外周部４３１ｂは、第１の実施形態の突起部３１の外周部３１ｂと略同様の構成が適用できる。頂部４３１ｃは、第１の実施形態の突起部３１の頂部３１ｃと略同様の構成が適用できる。また、突起部４３１は、内部に空間Ｓを有している。すなわち、突起部４３１は、中空状になっている。
【００９１】
本実施形態では、第１の実施形態と同様に、突起部４３１の内側に位置する内周部４３１ａの前面パネル１０ａの表面からの高さＨ１は、突起部４３１の外側に位置する外周部４３１ｂの前面パネル１０ａの表面からの高さＨ２よりも低くなっている。
【００９２】
なお、図７には、室外機４０１の吹き出し口において、湾曲部４２１ａによって形成される送風路の側面部を接点とした接線Ｂを一点鎖線で示す。また、接線Ｂに対する法線Ｃも一点鎖線で示す。図７に示すように、本実施形態の室外機４０１では、突起部４３１の構造全体が、接線Ｂの外側（図７では、上方側）に位置するような形状となっている。なお、本実施形態では、接線Ｂが送風路の仮想延長線に相当する。
【００９３】
この構成により、突起部４３１は、送風路形成部材２１の平面部２１ａの形状に沿って拡張されるように吹き出される風の流路の外側に位置することになる。そのため、突起部４３１がファンガード１１から吹き出される風の流れを妨げることを抑えることができる。したがって、送風効率の低下を抑えることができる。
【００９４】
また、また、本実施形態では、突起部４３１の内周部４３１ａと頂部４３１ｃとの境界部分が、接線Ｂと接するような位置関係で、突起部４３１が配置されている（図７参照）。
【００９５】
〔まとめ〕
本発明の一局面にかかる室外機１・１０１・２０１・３０１・４０１は、空気調和機などの室外機である。この室外機は、筐体１０と、筐体１０内に配置された送風機１２と、筐体１０内に形成され、送風機１２からの風を吹き出し口へ導く送風路とを備えている。送風路は、例えば、送風路形成部材２１・４２１などで形成される。この室外機の吹き出し口には、ファンガード（ガード部材）１１が取り付けられている。また、ファンガード１１の周囲には、突起部３１・１３１・２３１・３３１・４３１が設けられている。そして、前記突起部は、送風路の仮想延長線Ａの外側に位置するような形状となっている。
【００９６】
上述の本発明の一局面にかかる室外機１・１０１・２０１・４０１において、突起部３１・１３１・２３１・４３１の内側（例えば、内周部３１ａなどのガード部材により近い側）の高さは、突起部３１・１３１・２３１・４３１の外側（例えば、外周部３１ｂなどのガード部材からより遠い側）の高さよりも低くなっていることが好ましい。この構成によれば、突起部３１・１３１・２３１・４３１がファンガード１１から吹き出される風の流れを妨げることをより確実に抑えることができる。
【００９７】
上述の本発明の一局面にかかる室外機１・１０１・２０１・３０１・４０１において、突起部３１・１３１・２３１・３３１・４３１は、中空状になっていてもよい。この構成によれば、突起部を軽量化することができる。
【００９８】
上述の本発明の一局面にかかる室外機１０１において、突起部１３１の内側（ガード部材により近い側）の形状の一部（例えば、内側傾斜部１３１ｄ）は、送風路の仮想延長線Ａ上にあってもよい。この構成によれば、筐体１０の吹き出し口から平面部２１ａの形状に沿って吹き出される風を整流させることができる。
【００９９】
上述の本発明の一局面にかかる室外機２０１において、突起部２３１は、湾曲した先端部（例えば、内側湾曲部２３１ａ）を有していてもよい。そして、この湾曲した先端部の曲率は、突起部２３１の内側から外側へ向かって徐々に小さくなっていてもよい。すなわち、曲率Ｒ１は、曲率Ｒ２よりも大きくなっていてもよい（図５参照）。この構成によれば、ファンガード１１から吹き出された風が、前面パネル１０ａの後方側へ回り込むことを回避させることができる。
【０１００】
上述の本発明の一局面にかかる室外機４０１において、送風路の側面は、（例えば、送風路形成部材４２１の湾曲部４２１ａのように）湾曲形状を有していてもよい。そして、突起部４３１は、吹き出し口における送風路の側面の接線Ｂよりも外側に位置するような形状となっていてもよい。ここで、接線Ｂは送風路の仮想延長線に相当する。
【０１０１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。また、本明細書で説明した異なる実施形態の構成を互いに組み合わせて得られる構成についても、本発明の範疇に含まれる。
【０１０２】
本実施形態では、本発明の一態様として、セパレート型空気調和機の室外機を例に挙げて説明したが、本発明の別の態様では、ヒートポンプ式給湯機の室外機にも適用可能である。
【符号の説明】
【０１０３】
１        ：室外機
１０      ：筐体
１１      ：ファンガード（ガード部材）
１２      ：送風機
１３      ：室外側熱交換器
２１      ：送風路形成部材
３１      ：突起部
３１ａ    ：内周部（突起部の内側）
３１ｂ    ：外周部（突起部の外側）
１０１    ：室外機
１３１    ：突起部
１３１ｄ  ：内側傾斜部
２０１    ：室外機
２３１    ：突起部
２３１ａ  ：内側湾曲部
３０１    ：室外機
３３１    ：突起部
４０１    ：室外機
４２１    ：送風路形成部材
４２１ａ  ：湾曲部
４３１    ：突起部
Ｓ        ：空間
Ａ        ：仮想延長線
Ｂ        ：接線
【図１】
2019106854.tif 000003
【図２】
2019106854.tif 000004
【図３】
2019106854.tif 000005
【図４】
2019106854.tif 000006
【図５】
2019106854.tif 000007
【図６】
2019106854.tif 000008
【図７】
2019106854.tif 000009
【国際調査報告】
2019106854.tif 000010
2019106854.tif 000011
2019106854.tif 000012
2019106854.tif 000013